(57)【要約】【課題】ライフジャケットのライフジャケット本体における前ポケット部内に収納された物品の取り出しを容易に実施できること。【解決手段】ライフジャケット本体１１を構成する後身頃１２、左前身頃１３及び右前身頃１４に浮力体が内装されたライフジャケット１０において、左前身頃１３と右前身頃１４の少なくとも一方の表地１５に、物品３０を収納可能な前ポケット部１５が、その上端縁１５Ａを接合して起伏自在に設置されて構成されたものである。【選択図】  図１
2013071475.tif 000002
【特許請求の範囲】
【請求項１】
ライフジャケット本体を構成する後身頃、左前身頃及び右前身頃に浮力体が内装されたライフジャケットにおいて、
前記左前身頃と前記右前身頃の少なくとも一方の表地に、物品を収納可能な前ポケット部が、その上端縁を接合して起伏自在に設置されて構成されたことを特徴とするライフジャケット。
【請求項２】
ライフジャケット本体における後身頃の表地から左前身頃及び右前身頃の表地に巻き回される締付バンドが、前ポケット部の後面側に位置づけられて構成されたことを特徴とする請求項１に記載のライフジャケット。
【請求項３】
前記ライフジャケット本体の襟部に取り付けられたフードに、浮力体が内装されたことを特徴とする請求項１または２に記載のライフジャケット。
【請求項４】
前記ライフジャケット本体には、他のライフジャケットのライフジャケット本体と連結可能な連結バンドが設けられたことを特徴とする請求項１乃至３のいずれか１項に記載のライフジャケット。
【請求項５】
前記ライフジャケット本体の後身頃側には表示シート部が、その上端縁を前記ライフジャケット本体の肩部に接合して起伏自在に配設され、
前記表示シート部は、表面に表示用の反射体または発光体が設けられると共に、物品を収納可能に構成されたことを特徴とする請求項１乃至４のいずれか１項に記載のライフジャケット。
【請求項６】
前記ライフジャケット本体の下端部に、装着者の足を挿通する股バンドユニットが取り付けられ、
この股バンドユニットは、係脱可能な係止手段を備えた股バンドに、装着者の臀部に当接可能な臀部当接シートが接合されて構成されたことを特徴とする請求項１乃至５のいずれか１項に記載のライフジャケット。
【発明の詳細な説明】
【技術分野】
【０００１】
本発明は、水難時（特に津波時、転覆時など）に装着者の安全を確保するためのライフジャケットに関する。
【背景技術】
【０００２】
漁船やレジャーボートなどの船舶への乗船時、または磯釣り時などでは、落水などの水難事故に備えてライフジャケットの着用が推奨されている。ライフジャケットに内装された浮力体に生ずる浮力によって装着者を水面に浮上させ、装着者の安全を確保するためである。
【０００３】
このようなライフジャケットには、特許文献１及び２に記載のように、前身頃に、物品を収納可能な前ポケット部が設けられたものが開示されている。
【先行技術文献】
【特許文献】
【０００４】
【特許文献１】特開２０１０−２２９６０７号公報
【特許文献２】特開２００６−２３２１９６号公報
【発明の概要】
【発明が解決しようとする課題】
【０００５】
ところが、上述の特許文献１及び２に記載のライフジャケットでは、前ポケット部が前身頃に一体に設けられているため、落水時等の水難時に前身頃と共に前ポケット部も水中に水没してしまう。このため、前ポケット部に収納された物品、例えばペットボトルなどを手探りで取り出すことしかできず、この物品を前ポケット部外へ落してしまう恐れがある。
【０００６】
本発明の目的は、上述の事情を考慮してなされたものであり、ライフジャケット本体における前ポケット部内の収納物品の取り出しを容易に実施できるライフジャケットを提供することにある。
【課題を解決するための手段】
【０００７】
本発明は、ライフジャケット本体を構成する後身頃、左前身頃及び右前身頃に浮力体が内装されたライフジャケットにおいて、前記左前身頃と前記右前身頃の少なくとも一方の表地に、物品を収納可能な前ポケット部が、その上端縁を接合して起伏自在に設置されて構成されたことを特徴とするものである。
【発明の効果】
【０００８】
本発明によれば、左前身頃と右前身頃の少なくとも一方の表地に前ポケット部が、その上端縁を接合して起伏自在に設置されて構成されたことから、水難時には前ポケット部がその上端縁を中心にして水面に浮上するので、前ポケット部内の収納物品を容易に取り出すことができる。
【図面の簡単な説明】
【０００９】
【図１】本発明に係るライフジャケットの一実施形態を示す正面図。
【図２】図１のライフジャケットを示す背面図。
【図３】図１の一部を拡大し、前ポケット部の一方を持ち上げた状態を示す拡大正面図。
【図４】図２において表示シート部を垂れ下げた状態を示す背面図。
【図５】図１のライフジャケットの使用状況を示す側面図。
【図６】本発明に係るライフジャケットの他の実施形態を示す正面図。
【発明を実施するための形態】
【００１０】
以下、本発明を実施するための実施形態を図面に基づき説明する。
図１及び図２に示すように、本実施形態のライフジャケット１０は、後身頃１２、左前身頃１３及び右前身頃１４を有してなるライフジャケット本体１１に、前ポケット部１５、フード１６、表示シート部１７、連結バンド１８及び股バンド１９などを有して構成される。このライフジャケット１０は、水難時、特に津波時などに備えた災害用備品として好適に用いられる。
【００１１】
後身頃１２と左前身頃１３及び右前身頃１４は、上端部及び側端部が接合（縫合）されてライフジャケット本体１１を構成し、左前身頃１３と右前身頃１４とは、ファスナ２０などの止着部材により開閉自在に止着される。このように構成されるライフジャケット１１は、装着者１（図５）の身体の胴部に装着され、ライフジャケット本体１１の左右両側の上部に設けられた開口２１に、装着者１の腕２が挿通される。
【００１２】
ライフジャケット本体１１を構成する後身頃１２、左前身頃１３及び右前身頃１４は、それぞれ、例えばナイロンなどの合成樹脂製の織布で形成された表地２５と裏地２６（左前身頃１３及び右前身頃１４の裏地は図示せず）を有し、これらの表地２５と裏地２６との間に浮力体２２が内装されている。この浮力体２２は、図２に示すように、後身頃１２では、上部に略四角形状の上部浮力体２２Ａが、下部に短冊形状の下部浮力体２２Ｂがそれぞれ配置され、図３に示すように、左前身頃１３と右前身頃１４では、上部に略三角形状の上部浮力体２２Ｃが、下部に短冊形状の下部浮力体２２Ｄがそれぞれ配置される。
【００１３】
これらの浮力体２２（２２Ａ〜２２Ｄ）も含め、ライフジャケット本体１１は左右対称に構成されている。また、浮力体２２（２２Ａ〜２２Ｄ）は、後述の浮力体２２Ｅも含めて、本実施形態ではウレタンなどの発泡性合成樹脂材にて構成されているが、空気などの気体を封入した袋体であってもよい。この浮力体２２（２２Ａ〜２２Ｄ）によって、ライフジャケット１０を装着した装着者１は、水難時に水面Ａ（図５）に浮上する。
【００１４】
更に、左前身頃１３及び右前身頃１４に内装された上部浮力体２２Ｃ及び下部浮力体２２Ｄの総容積（総体積）は、後身頃１２に内装された上部浮力体２２Ａ及び下部浮力体２２Ｂの総容積（総体積）よりも大きく構成されている。これにより、ライフジャケット１０を装着した装着者１が水面Ａで俯せ状態にあっても、左前身頃１３及び右前身頃１４の上部浮力体２２Ｃ及び下部浮力体２２Ｄに生じる浮力が、後身頃１２の上部浮力体２２Ａ及び下部浮力体２２Ｂに生ずる浮力に優ることで、装着者１が水面Ａを流れる間に、この装着者１を仰向け状態に反転させることが可能になる。
【００１５】
また、ライフジャケット本体１１の背面である後身頃１２の表地２５には、図２に示すように、締付バンド２３の中央部分が糸２７などで止着され、この締付バンド２３は、後身頃１２の表地２５上を左右両側へ延び、図３に示すように、左前身頃１３及び右前身頃１４の表地２５に巻き回される。この締付バンド２３の一端に雄形状の係合部材（バックル２４Ａ）が、他端に雌形状の係合部材（バックル２４Ｂ）がそれぞれ取り付けられている。これらのバックル２４Ａ及び２４Ｂが係脱自在に係合されることで、ライフジャケット本体１１の下部が装着者１の腹部に締め付けられて、ライフジャケット本体１１が装着者１に装着される。
【００１６】
更に、図１に示すように、ライフジャケット本体１１の左前身頃１３または右前身頃１４、本実施形態では右前身頃１４には、その表地２５に、透明材質からなる名札入れ部２８が取り付けられる。この名札入れ部２８内に、装着者１の氏名などが記入された名札２９が差し込まれる。
【００１７】
前記前ポケット部１５は、図１及び図３に示すように、左前身頃１３と右前身頃１４の少なくとも一方、本実施形態では両者の表地２５に、その上端縁１５Ａが接合されて起伏自在に設置される。図３では、右前身頃１４に設置された前ポケット部１５が上方へ持ち上げられた起立状態を示し、左前身頃１３に設置された前ポケット部１５が下方へ垂れ下がった伏状態を示す。従って、ライフジャケット１０を装着した装着者１が水難した際には、前ポケット部１５がその上端部１５Ａを中心に浮き上がり、水面Ａ(図５)に浮遊する。
【００１８】
各前ポケット部１５は、図１に示すように、ペットボトルなどの物品３０を収納可能な収納部３１、３２が、例えば縫製などにより仕切られて形成されている。また、この前ポケット部１５の前面３３には、上端縁１５Ａ近傍にファスナ３５などの止着部材が設けられ、このファスナ３５により収納部３１及び３２が開閉される。更に、前ポケット部１５の前面３３には、ファスナ３５の下方に、光を反射する表示用の反射シート３６が貼着されている。
【００１９】
また、図３に示すように、各前ポケット部１５の後面３４側、つまり各前ポケット部１５の後面３４と左前身頃１３及び右前身頃１４の表地２５との間に、前記締付バンド２３が位置づけられる。これにより、ライフジャケット本体１１の下部を締付バンド２３により締め付ける際に、前ポケット部１５、及びこの前ポケット部１５の収納部３１、３２内に収納された物品３０が、上述の締め付けを邪魔することがない。
【００２０】
前記フード１６は、図１、図３及び図４に示すように、ライフジャケット本体１１における後身頃１２の襟部３７に接合（縫合）され、ライフジャケット１０を装着した装着者１の頭部３（図５）を覆う。このフード１６の開口縁部に締付用紐４８が挿通され、この締付用紐４８の両端部に、スライド止め具４９がスライド自在に配設される。スライド止め具４９のスライドによりフード１６の開口縁部が狭められて、フード１６が装着者１の頭部３から外れないように装着される。また、フード１６は、図４に示すように、その左右両側部に浮力体２２Ｅが内装されている。この浮力体２２Ｅに生ずる浮力が、水難時に仰向け状態になった装着者１の頭部３の荷重を支持する。また、フード１６の背面に、光を反射する表示用の反射シート３８が貼着されている。
【００２１】
前記表示シート部１７は、図１、図３及び図４に示すように、正面視コ字形状に形成される。この表示シート部１７は、ライフジャケット本体１１の背面側（つまり後身頃１２側）に、その上端縁１７Ａをライフジャケット本体１１の肩部３９に接合（縫合）して起伏自在に配設される。図１及び図３では、表示シート部１７が上方に持ち上げられた起立状態を示し、図４では、表示シート部１７が下方に垂れ下がった伏状態を示す。従って、ライフジャケット１０を装着した装着者１の水難時には、表示シート部１７がその上縁部１７Ａを中心に浮き上がり、水面Ａ(図５)に浮遊する。
【００２２】
この表示シート部１７は、水面Ａに浮遊した状態で、その表面４０が水面Ａ上にあり、この表面４０に光を反射する表示用の反射シート４２が貼着される。この表示シート部１７の反射シート４２、前ポケット部１５の反射シート３６及びフード１６の反射シート３８は、特に夜間における水難者の捜索時に用いられる照明の光を反射して、ライフジャケット１０を装着した装着者１の発見を容易にする。
【００２３】
また、この表示シート部１７には、図２に示すように、ペットボトルなどの物品３０を収納可能な収納部４３が、例えば縫製などにより仕切られて複数形成されている。表示シート部１７の裏面４１には、ファスナ４４などの止着部材が設けられ、このファスナ４４により収納部４３が開閉されて物品３０が出入される。
【００２４】
図１に示す前記連結バンド１８は、ライフジャケット１０のライフジャケット本体１１を、他のライフジャケットのライフジャケット本体と連結するものである。この連結バンド１８は、ライフジャケット本体１１における例えば左前身頃１３の下端部に取り付けられた取付フック４５に係止される。あるいは、連結バンド１８は、ライフジャケット本体１１の例えば左前身頃１３に直接接合されてもよい。更に、連結バンド１８は、１つのライフジャケット１０に複数本連結されてもよい。この連結バンド１８により複数のライフジャケット１０が連結されることで、ライフジャケット１０を装着した装着者１（例えば家族）の水面Ａでの離散が防止される。
【００２５】
前記股バンド１９は、ライフジャケット本体１１における後身頃１２の下端部と左前身頃１３、右前身頃１４の下端部との間に、係脱可能なバックル４６を介してループ状に一対取り付けられる。これらのループ状の股バンド１９に装着者１が足４（図５）を挿通することで、ライフジャケット本体１１が装着者１の身体に係止されることになり、水難時にライフジャケット１０が浮き上がっても、このライフジャケット１０は装着者１の身体の所定位置に保持される。
【００２６】
次に、ライフジャケット１０の使用状況を、図５を用いて説明する。
ライフジャケット１０を装着した装着者１が落水または津波などの水難事故に遭遇したとき、ライフジャケット本体１１の後身頃１２、左前身頃１３及び右前身頃１４に内装された浮力体２２に生ずる浮力によって、装着者１は水面Ａに浮上する。このとき、装着者１が頭部３を後方に傾けている場合には、フード１６に内装された浮力体２２Ｅに生ずる浮力によって、装着者１の頭部３の荷重が支持される。
【００２７】
上述の状態では、左前身頃１３及び右前身頃１４に設けられた前ポケット部１５が、その上端縁１５Ａを中心にして浮き上がり水面Ａに浮遊する。従って、ライフジャケット１０の装着者１は、ファスナ３５を開いて収納部３１、３２内の物品３０（例えばペットボトル）を取り出し、水等を飲むことが可能になる。
【００２８】
また、上述の状態では、ライフジャケット本体１１の肩部３９に設けられた表示シート部１７がその上端縁１７Ａを中心にして浮き上がり、水面Ａに浮遊する。このため、表示シート部１７の表面４０に貼着された反射シート４２が、前ポケット部１５の反射シート３６及びフード１６の反射シート３８と共に、特に夜間における捜索時に光を反射し、ライフジャケット１０の装着者１の発見を容易にする。
【００２９】
また、この表示シート部１７にも、ペットボトルなどの物品３０が収納部４３に収納されている。この物品３０は、特に連結バンド１８により連結された他のライフジャケット装着者により取り出されて、飲食に供される。
【００３０】
以上のように構成されたことから、本実施形態によれば、次の効果（１）〜（７）を奏する。
【００３１】
（１）ライフジャケット本体１１における左前身頃１３と右前身頃１４のそれぞれの表地２５に前ポケット部１５が、その上端縁１５Ａを接合して起伏自在に設置されて構成されたことから、水難時には前ポケット部１５がその上端縁１５Ａを中心にして水面に浮き上がる。従って、この前ポケット部１５内の物品３０を、例えば目視により確認しながら容易に取り出すことができる。
【００３２】
（２）ライフジャケット本体１１における後身頃１２の表地２５から左前身頃１３及び右前身頃１４の表地２５に巻き回される締付バンド２３が、前ポケット部１５の後面３４に位置づけられたことから、締付バンド２３の締め付けによってライフジャケット１１を装着者１の身体に装着する際に、前ポケット部１５及びその収納物品３０が邪魔にならず、上述の装着を容易に実施できる。
【００３３】
（３）ライフジャケット本体１１における後身頃１２の襟部３７に接合されたフード１６に浮力体２２Ｅが内装されたので、水難時にライフジャケット１０を装着した装着者１の頭部３が、浮力体２２Ｅに生ずる浮力によって支持される。このため、装着者１の呼吸を確保することができる。
【００３４】
（４）ライフジャケット本体１１には、他のライフジャケットのライフジャケット本体に連結可能な連結バンド１８が設けられている。このため、この連結バンド１８により、各ライフジャケット１０を装着した複数の装着者１が、水面Ａで離散することを防止できる。
【００３５】
（５）ライフジャケット本体１１の後身頃１２側に表示シート部１７が、その上端縁１７Ａをライフジャケット本体１１の肩部３９に接合して起伏自在に配置され、この表示シート部１７の表面４０に表示用の反射シート４２が貼着されている。この表示シート部１７の反射シート４２が、前ポケット部１５の反射シート３６及びフード１６の反射シート３８と共に、特に夜間における水難者の捜索時に用いられる照明の光を反射するので、ライフジャケット１０の装着者１の発見を容易化できる。
【００３６】
（６）上記表示シート部１７の収納部４３に、ペットボトルなどの物品３０が収納可能に構成されたので、前ポケット部１５の収納部３１、３２に収納されたペットボトルなどの物品３０と共に、十分な飲料水などを確保することができる。
【００３７】
（７）左前身頃１３及び右前身頃１４に内装された上部浮力体２２Ｃ及び下部浮力体２２Ｄの総容積が、後身頃１２に内装された上部浮力体２２Ａ及び下部浮力体２２Ｂの総容積よりも大きく構成されている。このため、ライフジャケット１０を装着した装着者１が例え俯せ状態で水面Ａに浮上した場合でも、左前身頃１３及び右前身頃１４の上部浮力体２２Ｃ及び下部浮力体２２Ｄに生ずる浮力によって、装着者１を仰向け状態に反転させることができ、呼吸を確保できる。
【００３８】
以上、本発明を上記実施形態に基づいて説明したが、本発明はこれに限定されるものではなく、本発明の主旨を逸脱しない範囲で種々変形することができる。例えば、表示シート部１７に浮力体を内装してもよい。
【００３９】
また、表示シート部１７の反射シート４２、前ポケット部１５の反射シート３６、フード１６の反射シート３８に代えて、またはこれらとは別に、蓄光材料からなる発光体や、太陽電池を電源とする発光ダイオードをライフジャケット１０に設置してもよい。更に、ＧＰＳ（Ｇｌｏｂａｌ  Ｐｏｓｉｔｏｎｉｎｇ  Ｓｙｓｔｅｍ）における測位情報を発信する無線通信機をライフジャケット１０に装備してもよい。
【００４０】
更に、図１及び図２の股バンド１９に代えて、図６に示すように、ライフジャケット本体１１の下端部に、装着者１の足４(共に図５)を挿通する股バンドユニット５０が取り付けられてもよい。この股バンドユニット５０は、係脱可能な係止手段としてのバックル５１Ａ、５１Ｂを備えた股バンド５２、５３に、装着者１の臀部５(図５)に当接可能な臀部当接シート５４が接合されて構成される。つまり、後身頃１２の下端部に、メッシュ材からなる台形状の臀部当接シート５４が接合(縫合)され、この臀部当接シート５４の下端に、例えば雄形状のバックル５１Ａを備えた一対の股バンド５２が接合(縫合)され、また、左前身頃１３と右前身頃１４のそれぞれの下端に、例えば雌形状のバックル５１Ｂを備えた一対の股バンド５３が接合(縫合)されて股バンドユニット５０が構成される。
【００４１】
この場合、ライフジャケット１０の装着時に、臀部当接シート５４を装着者１の臀部５に押し当てて当接し、股バンド５２の雄形状のバックル５１Ａを股バンド５３の雌形状のバックル５１Ｂに係合させることで、股バンドユニット５０を、股バンド５２、５３が絡むことなく容易に装着者１の足４に装着できる。また、股バンドユニット５０を装着した際には、水難時にライフジャケット本体１１が装着者１の身体に対して浮き上がることを一層確実に防止でき、ライフジャケット１０を装着者１の身体の所定位置に安定して保持できる。
【００４２】
尚、ライフジャケット本体１１の後身頃１２の下端部に股バンドユニット５０の臀部当接シート５４が取り付けられたことで、連結バンド１８は、図６に示すように、左前身頃１３または右前身頃１４(例えば左前身頃１３)の側部の係止リング４７に、取付フック４５等を介して係脱可能に取り付けられてもよい。
【符号の説明】
【００４３】
１０  ライフジャケット
１１  ライフジャケット本体
１２  後身頃
１３  左前身頃
１４  右前身頃
１５  前ポケット部
１５Ａ  上端縁
１６  フード
１７  表示シート部
１７Ａ  上端縁
１８  連結バンド
２２、２２Ｅ  浮力体
２２Ａ、２２Ｃ  上部浮力体
２２Ｂ、２２Ｄ  下部浮力体
２３  締付バンド
２５  表地
３０  物品
３１、３２  収納部
３４  後面
３７  襟部
３９  肩部
４２  反射シート
４３  収納部
５０  股バンドユニット
５１Ａ、５１Ｂ  バックル(係止手段)
５２、５３  股バンド
５４  臀部当接シート
【図１】
2013071475.tif 000003
【図２】
2013071475.tif 000004
【図３】
2013071475.tif 000005
【図４】
2013071475.tif 000006
【図５】
2013071475.tif 000007
【図６】
2013071475.tif 000008